(57)【要約】【課題】  ソフトハンドオーバを効果的に動作させる隣接セクタを自動で設定する。【解決手段】  無線端末と通信する第１のセクタに応じた基地局、及び、無線端末の移動等により無線端末と通信を開始した第２のセクタに応じた基地局は、無線端末から取得した端末識別子と時刻とセクタ識別子とを基地局制御部（以下、制御部）に送信する。制御部は、基地局から受信した端末識別子と時刻に対応して、受信したセクタ識別子を順次テーブルに記憶する。また、制御部は、該テーブルを参照して、予め定められた時間範囲で異なるセクタ識別子が記憶されているか判断し、該異なる２つのセクタ識別子の組を隣接セクタ候補として、隣接セクタ候補とされた回数をカウントする。制御部は、カウントされた回数が閾値以上の隣接セクタ候補について、隣接セクタ候補の一方のセクタに応じた基地局に、他方のセクタについての隣接セクタ情報を含む変更要求を送信する。【選択図】  図１０
2006217051.tif 000002
【特許請求の範囲】
【請求項１】
ひとつ又は複数のセクタを有し、セクタ毎に該セクタと隣接する他のセクタのセクタ識別子及び／又は該他のセクタからの電波を識別するための情報を含む隣接セクタ情報を、セクタ毎に無線端末へ送信するひとつ又は複数の基地局と、
前記無線端末の端末識別子毎に、時刻に対応して、前記無線端末が通信するセクタのセクタ識別子が記憶される接続履歴テーブルを有し、前記基地局から送信される隣接セクタ情報を変更させるための基地局制御部と
を備え、
前記基地局は、前記無線端末から取得した端末識別子と、該無線端末と通信するセクタのセクタ識別子とを前記基地局制御部に送信し、
前記基地局制御部は、
端末識別子とセクタ識別子とを受信して、該端末識別子と受信時刻とに対応して、該セクタ識別子を前記接続履歴テーブルに記憶し、
前記接続履歴テーブルを参照し、各端末識別子に対応して、任意の時刻から予め定められた時間の間に異なる複数のセクタ識別子が記憶されている場合、該異なる複数のセクタ識別子のうちの第１のセクタと第２のセクタが隣接セクタ候補であると判断して、第１のセクタの第１のセクタ識別子と第２のセクタの第２のセクタ識別子とに対応して隣接セクタ候補であると判断した回数をカウントし、
カウントされた回数が予め定められた閾値以上の第１及び第２のセクタ識別子について、第１のセクタ識別子に応じた基地局に、第２のセクタ識別子及び／又は第２のセクタからの電波を識別するための情報を含む、該基地局からの隣接セクタ情報を変更させるための変更要求を送信する無線通信システム。
【請求項２】
前記基地局制御部は、
セクタ識別子に対応してパイロット信号情報及び周波数チャネル情報のいずれか又は複数が記憶されるセクタデータベース
をさらに有し、
前記基地局制御部は、
カウントされた回数が予め定められた閾値以上の第１及び第２のセクタ識別子について、第２のセクタ識別子に基づいて前記セクタデータベースを参照し、対応するパイロット信号情報及び周波数チャネル情報のいずれか又は複数を取得し、及び、
第２のセクタ識別子、取得されたパイロット信号情報及び周波数チャネル情報のいずれか又は複数を含む、基地局からの隣接セクタ情報を変更させるための変更要求を、第１のセクタ識別子に応じた基地局に送信する請求項１に記載の無線通信システム。
【請求項３】
前記基地局制御部は、
セクタ毎に、該セクタの隣接セクタ候補のセクタ識別子と、隣接セクタ候補であると判断した回数をカウントするためのカウント数とが対応して記憶される隣接セクタ候補テーブル
をさらに有し、
前記基地局制御部は、
第１のセクタに応じた前記隣接セクタ候補テーブルについて、第２のセクタ識別子に対応するカウント数を増加することで回数をカウントし、
各セクタの前記隣接セクタ候補テーブルを参照して、カウント数が予め定められた閾値以上のセクタ識別子を取得し、該隣接セクタ候補テーブルに応じたセクタの基地局に、取得されたセクタ識別子及び該セクタ識別子に対応するパイロット信号情報及び周波数情報のいずれか又は複数を含む、該基地局からの隣接セクタ情報を変更させるための変更要求を送信する請求項１に記載の無線通信システム。
【請求項４】
前記基地局制御部は、
前記接続履歴テーブルに記憶されたセクタ識別子を、予め定められた期間が経過した時刻に対応したものから順に削除し、
予め定められた時間幅の間で異なる複数のセクタ識別子を削除すると、該異なる複数のセクタ識別子のうちの第３のセクタ識別子に応じた前記隣接セクタ候補テーブルにおいて、該異なる複数のセクタ識別子のうちの第４のセクタ識別子に対応するカウント数を減算し、
該減算により前記隣接セクタ候補テーブルのカウント数が予め定められた閾値を下回ると、隣接セクタ情報から第４のセクタ識別子についての情報を削除させるための削除要求を、第３のセクタ識別子に応じた基地局に送信する請求項３に記載の無線通信システム。
【請求項５】
ひとつ又は複数のセクタを有し、セクタ毎に該セクタと隣接する他のセクタのセクタ識別子及び／又は該他のセクタからの電波を識別するための情報を含む隣接セクタ情報を、セクタ毎に送信するひとつ又は複数の基地局と、
前記基地局から送信される隣接セクタ情報を変更させるための基地局制御部と
を備え、
前記基地局は、前記無線端末がひとつ又は複数のセクタから捕捉した電波を示すひとつ又は複数の捕捉電波情報を該無線端末から取得して、該捕捉電波情報を前記基地局制御部に送信し、
前記基地局制御部は、
前記基地局から捕捉電波情報を受信して、複数の捕捉電波情報が受信されたか判断し、該複数の捕捉電波情報にそれぞれ対応する複数のセクタ識別子のうち第１のセクタと第２のセクタが隣接セクタ候補であると判断して、第１のセクタの第１のセクタ識別子と第２のセクタの第２のセクタ識別子とに対応して、隣接セクタ候補であると判断した回数をカウントし、
カウントされた回数が予め定められた閾値以上の第１及び第２のセクタ識別子について、第１のセクタ識別子に応じた基地局に、第２のセクタ識別子及び／又は第２のセクタからの電波を識別するための情報を含む、該基地局からの隣接セクタ情報を変更させるための変更要求を送信する無線通信システム。
【請求項６】
前記基地局制御部は、前記無線端末の呼を識別するための呼識別子毎に、時刻に対応して、前記無線端末がセクタから捕捉した電波についての捕捉電波情報と、捕捉電波情報に対応するセクタ識別子とが記憶される周辺電波情報テーブル
を有し、
前記基地局は、呼識別子を前記基地局制御部にさらに送信し、
前記基地局制御部は、
呼識別子と捕捉電波情報を受信し、該呼識別子と受信時刻に対応して、該捕捉電波情報を前記周辺電波情報テーブルに記憶し、
前記周辺電波情報テーブルを参照して、各呼識別子について同じ受信時刻に複数の捕捉電波情報が記憶されていることにより、複数の捕捉電波情報が受信されたと判断する請求項５に記載の無線通信システム。
【請求項７】
前記基地局制御部は、
セクタ識別子に対応してパイロット信号情報及び周波数チャネル情報のいずれか又は複数が記憶されるセクタデータベース
をさらに有し、
前記基地局制御部は、
受信された各捕捉電波情報に基づいて前記セクタデータベースのパイロット信号情報を参照して、対応するセクタ識別子をそれぞれ取得し、取得されたセクタ識別子のうちの第１及び第２のセクタ識別子に対応して、隣接セクタ候補であると判断した回数をカウントし、
カウントされた回数が予め定められた閾値以上の第１及び第２の隣接セクタ識別子について、第２のセクタ識別子に基づいて前記セクタデータベース参照し、対応するパイロット信号情報及び周波数チャネル情報のいずれか又は複数をそれぞれ取得し、
第２のセクタ識別子、該パイロット信号情報及び該周波数チャネル情報のいずれか又は複数を含む、前記基地局からの隣接セクタ情報を変更させるための変更要求を、第１のセクタ識別子に応じた前記基地局に送信する請求項５に記載の無線通信システム。
【請求項８】
前記基地局制御部は、
セクタ毎に、該セクタの隣接セクタ候補のセクタ識別子と、隣接セクタ候補であると判断した回数をカウントするためのカウント数とが記憶される隣接セクタ候補テーブル
をさらに有し、
前記基地局制御部は、
第１のセクタ識別子に応じた前記隣接セクタ候補テーブルについて、第２のセクタ識別子及び／又は捕捉電波情報対応する他のセクタ識別子に対応して、カウント数を増加することで回数をカウントし、
各セクタの前記隣接セクタ候補テーブルを参照して、カウント数が予め定められた閾値以上のセクタ識別子を取得し、該隣接セクタ候補テーブルに応じたセクタの前記基地局に、取得されたセクタ識別子及び該セクタ識別子に対応するパイロット信号情報及び周波数情報のいずれか又は複数を含む、基地局からの隣接セクタ情報を変更させるための変更要求を送信する請求項５又は６に記載の無線通信システム。
【請求項９】
前記基地局制御部は、
前記周辺電波情報テーブルに記憶されたセクタ識別子を、予め定められた期間が経過した時刻に対応したものから順に削除し、
予め定められた時間幅の間に異なる複数のセクタ識別子を削除すると、該異なる複数のセクタ識別子のうちの第３のセクタ識別子の前記隣接セクタ候補テーブルにおいて、該異なる複数のセクタ識別子のうちの第４のセクタ識別子に対応するカウント数を減算し、
該減算により前記隣接セクタ候補テーブルのカウント数が予め定められた閾値を下回ると、隣接セクタ情報から第４のセクタ識別子の情報を削除させるための削除要求を、第３のセクタ識別子に応じた前記基地局に送信する請求項８に記載の無線通信システム。
【請求項１０】
ひとつ又は複数のセクタを有する基地局と情報を送受信するためのインタフェースと、
前記無線端末の端末識別子毎に、時刻に対応して、前記無線端末が通信するセクタのセクタ識別子が記憶される接続履歴テーブルと、
ひとつ又は複数のセクタを有する基地局から無線端末へ送信される、セクタ毎に該セクタと隣接する他のセクタのセクタ識別子及び／又は該他のセクタからの電波を識別するための情報を含む隣接セクタ情報を変更させるための処理部と
を備え、
前記処理部は、
前記無線端末からの端末識別子と、該無線端末と通信するセクタのセクタ識別子とを前記基地局から受信し、
該端末識別子と受信時刻とに対応して、該セクタ識別子を前記接続履歴テーブルに記憶し、
前記接続履歴テーブルを参照し、各端末識別子に対応して、任意の時刻から予め定められた時間の間に異なる複数のセクタ識別子が記憶されている場合、該異なる複数のセクタ識別子のうちの第１のセクタと第２のセクタが隣接セクタ候補であると判断して、第１のセクタの第１のセクタ識別子と第２のセクタの第２のセクタ識別子とに対応して隣接セクタ候補であると判断した回数をカウントし、
カウントされた回数が予め定められた閾値以上の第１及び第２のセクタ識別子について、第１のセクタ識別子に応じた基地局に、第２のセクタ識別子及び／又は第２のセクタからの電波を識別するための情報を含む、該基地局からの隣接セクタ情報を変更させるための変更要求を送信する無線基地局制御装置。
【請求項１１】
ひとつ又は複数のセクタを有する基地局と情報を送受信するためのインタフェースと、
前記基地局から無線端末へ送信される、セクタ毎に該セクタと隣接する他のセクタのセクタ識別子及び／又は該他のセクタからの電波を識別するための情報を含む隣接セクタ情報を変更させるための処理部と
を備え、
前記処理部は、
無線端末がひとつ又は複数のセクタから捕捉した電波を示すひとつ又は複数の捕捉電波情報を前記基地局から受信して、複数の捕捉電波情報が受信されたか判断し、該複数の捕捉電波情報にそれぞれ対応する複数のセクタ識別子のうち第１のセクタと第２のセクタが隣接セクタ候補であると判断して、第１のセクタの第１のセクタ識別子と第２のセクタの第２のセクタ識別子とに対応して、隣接セクタ候補であると判断した回数をカウントし、
カウントされた回数が予め定められた閾値以上の第１及び第２のセクタ識別子について、第１のセクタ識別子に応じた基地局に、第２のセクタ識別子及び／又は第２のセクタからの電波を識別するための情報を含む、該基地局からの隣接セクタ情報を変更させるための変更要求を送信する無線基地局制御装置。
【発明の詳細な説明】
【技術分野】
【０００１】
本発明は、無線通信システム及び無線基地局制御装置に係り、特に、複数の無線端末がひとつのセクタと同時に通信を行い、また、ひとつの無線端末が複数のセクタの信号を受信できる無線通信システム、及び／又は、各基地局のセクタ毎に符号分割多重多元接続（ＣＤＭＡ）方式により通信が行なわれる無線通信システムにおける無線基地局の隣接関係を管理するための無線通信システム及び無線基地局制御装置に関する。
【背景技術】
【０００２】
移動体通信は、例えば、車載電話や携帯電話などの無線端末が最寄りの基地局のセクタからの電波を見つけて、無線端末〜基地局間で電波のやり取りをすることを基本とする。基地局に備えたアンテナのうちの一つから電波が届く通信可能範囲のことを、「セクタ（Ｓｅｃｔｏｒ）」と呼ぶ。基地局は、一つ又は複数のセクタを備える。セクタを隙間なく配置していくことにより、移動体通信サービス・エリアが構成される。ある一定の距離間隔に基地局を設置したマルチセクタ構成をとり、各基地局が提供する複数のセクタを途切れなく（疎にならないように）敷設していくことによって、無線端末は何処からでも通信することができ、広域的なサービス・エリアが構築される。
【０００３】
また、ＣＤＭＡ通信網においては、無線端末が、通信する基地局を変更する際に、複数の基地局との通信による信号の合成又は通信路の選択が行われ、無瞬断で通信路を切り換えるソフトハンドオーバ技術が知られている（例えば、非特許文献１参照）。このソフトハンドオーバを行うためには、無線端末は隣接した基地局（隣接基地局）のセクタからの制御信号を予め受信する必要がある。無線端末は、ソフトハンドオーバを動作可能な状態になるように、通信中のセクタで用いているパイロット信号オフセット値以外のオフセット値を順次用いて別セクタの電波を探索し、別セクタからの電波の捕捉を試みる。
【０００４】
一方、基地局は、セクタの制御情報を管理し、周期的に制御情報を送信（ブロードキャスト）する。このブロードキャストメッセージの中には、隣接セクタ情報と呼ばれる、周辺のセクタの電波情報が含まれている（例えば、非特許文献２参照）。無線端末は、この隣接セクタ情報に基づいて周辺セクタの電波の捕捉を効率的に実施することが出来る。これによって、ソフトハンドオーバを有効に動作させることが可能となる。
【０００５】
例えば、無線端末は、通信中のセクタから受信した制御情報に「隣接セクタ情報」が設定されている場合、「隣接セクタ情報」に示された周波数、パイロット信号オフセットに従い電波の捕捉を試みることで、効率良く隣接セクタからの電波を捕捉することが可能となる。また、無線端末は、複数の基地局からの電波を同時に捕捉して、受信品質を比較し、品質の良い方にハンドオフを行っていく。
【非特許文献１】「３Ｇ  ＴＲ２５．８３２  Ｖ４．０．０」、３ＧＰＰ発行、２００１年３月、５．２．１章
【非特許文献２】「３ＧＰＰ２：Ｃ．Ｓ００２４」、３ＧＰＰ２発行、２００２年１０月
【発明の開示】
【発明が解決しようとする課題】
【０００６】
ｃｄｍａシステムにおいてソフトハンドオーバを有効に動作させ、品質の高い移動体通信サービスを提供するためには、各セクタについて隣接セクタを正しく決定したうえで、決定した隣接セクタの情報を基地局の管理情報として設定・登録して、ブロードキャストメッセージが、正しい隣接セクタの情報を送信している状態としておくとよい。また、移動体通信システムは、サービス開始後にも不感地域の解消や、トラフィックの増加に対応するため、無線基地局の配置の見直しや、基地局の追加設置などを頻繁に行うことが多い。
【０００７】
このような基地局の追加・変更を行うと、基地局の隣接関係が変わることがある。隣接する基地局が変わった後にも、無線端末が効率よくソフトハンドオーバをし続けるためには、変更後の隣接関係を正しく把握したうえで、必要であれば基地局からの報知（ブロードキャスト）メッセージを変更する必要がある。
【０００８】
また、基地局の配置に変更が無い場合であっても、ビルの建築などによる基地局周辺の環境の変化などにより、伝播環境が変化してしまうことがある。例えば、伝播環境の変化により、ある隣接していたセクタへのソフトハンドオーバが出来なくなることもある。このような場合には、例えば、ブロードキャストメッセージから該当のセクタの情報を削除しなければならない。
【０００９】
隣接関係にあるセクタの特定方法として、基地局間の距離を基に算出することが考えられるが、距離的に近隣にある基地局のセクタであっても、地形やビルの影響で近隣のセクタからの電波が届かない場合や、地下街やビル内設置基地局など実際には電波が閉じた空間に限られている場合があり、ソフトハンドオーバができないケースもある。このため、実際にセクタの隣接関係を厳密に決定するには、電波測定車による走行試験や伝搬シミュレーションなどによる電波環境の把握が必要になる。しかしながら、電波の測定には時間とコストが非常にかかる。さらに、基地局の追加、配置の変更などのたびに測定が必要となる。また、シミュレーションも時間、コスト共にかかるうえに、実環境を完全には再現しきれないために、必ずしも正しい結果が出るとは限らない。
【００１０】
本発明は、以上の点に鑑み、無線通信網において、無線端末が各基地局のセクタ間を効果的にソフトハンドオーバすることができる無線通信システム及び無線基地局制御装置を提供することを目的とする。また、本発明は、隣接セクタ情報が登録されていない場合であっても、自動的に隣接セクタ情報を収集、設定し、無線端末のソフトハンドオーバを有効に動作させることを目的とする。さらに、本発明は、基地局の追加設置、撤去、移動、伝搬環境の変化などの際に、電波測定やシミュレーション、設定操作などを省略可能とすることで、運用コストを低減することが出来る無線通信システムを提供することを目的とする。
【００１１】
また、本発明は、基地局の配置変更や周辺環境の変化による電波環境の変化及び基地局の新設などの際に、基地局の隣接関係を決定するための、シミュレーション、電波測定、基地局パラメータの変更などの保守アクションを行うことなく、ソフトハンドオーバを有効に動作させるためのブロードキャストメッセージの更新を自動的に行うことを目的とする。
【課題を解決するための手段】
【００１２】
ＣＤＭＡ通信網においては、複数のセクタとの通信による信号の合成又は通信路の選択が行われ、基地局の変更の際に無瞬断で通信路を切り換えるソフトハンドオーバ技術が知られているが、無線端末が複数のセクタの電波を受信出来ていない状態で隣接基地局のセクタ内に移動した場合は、瞬断もしくは短い停止期間を伴うハンドオーバとなる。
【００１３】
（１）本発明では、例えば、無線端末毎の通信履歴を蓄積する基地局制御部を、無線通信網に備える。無線端末毎の通信履歴を追跡し、続けて通信が起こった２つのセクタを隣接セクタ候補とみなす。あるセクタ同士で隣接セクタ候補になった回数が、規定の回数を超過した段階で、隣接セクタとして決定し、ブロードキャストメッセージに反映させる。
（２）これとは別の方法として、ＣＤＭＡ通信網で定められた無線端末から基地局への通知情報に着目し、端末が複数セクタからの信号をキャッチ出来ていれば、このセクタ同士を隣接セクタ候補とみなす。あるセクタ同士で隣接セクタ候補になった回数が、規定の回数を超過した段階で、隣接セクタとして決定し、ブロードキャストメッセージに反映させる。
上記手段によりセクタのブロードキャストメッセージの内容を自動的に更新する。これにより、以後は該当するセクタ同士でのソフトハンドオーバがより効果的に実施可能となる。
【００１４】
本発明の第１の解決手段によると、
ひとつ又は複数のセクタを有し、セクタ毎に該セクタと隣接する他のセクタのセクタ識別子及び／又は該他のセクタからの電波を識別するための情報を含む隣接セクタ情報を、セクタ毎に無線端末へ送信するひとつ又は複数の基地局と、
前記無線端末の端末識別子毎に、時刻に対応して、前記無線端末が通信するセクタのセクタ識別子が記憶される接続履歴テーブルを有し、前記基地局から送信される隣接セクタ情報を変更させるための基地局制御部と
を備え、
前記基地局は、前記無線端末から取得した端末識別子と、該無線端末と通信するセクタのセクタ識別子とを前記基地局制御部に送信し、
前記基地局制御部は、
端末識別子とセクタ識別子とを受信して、該端末識別子と受信時刻とに対応して、該セクタ識別子を前記接続履歴テーブルに記憶し、
前記接続履歴テーブルを参照し、各端末識別子に対応して、任意の時刻から予め定められた時間の間に異なる複数のセクタ識別子が記憶されている場合、該異なる複数のセクタ識別子のうちの第１のセクタと第２のセクタが隣接セクタ候補であると判断して、第１のセクタの第１のセクタ識別子と第２のセクタの第２のセクタ識別子とに対応して隣接セクタ候補であると判断した回数をカウントし、
カウントされた回数が予め定められた閾値以上の第１及び第２のセクタ識別子について、第１のセクタ識別子に応じた基地局に、第２のセクタ識別子及び／又は第２のセクタからの電波を識別するための情報を含む、該基地局からの隣接セクタ情報を変更させるための変更要求を送信する無線通信システムが提供される。
【００１５】
本発明の第２の解決手段によると、
ひとつ又は複数のセクタを有し、セクタ毎に該セクタと隣接する他のセクタのセクタ識別子及び／又は該他のセクタからの電波を識別するための情報を含む隣接セクタ情報を、セクタ毎に送信するひとつ又は複数の基地局と、
前記基地局から送信される隣接セクタ情報を変更させるための基地局制御部と
を備え、
前記基地局は、前記無線端末がひとつ又は複数のセクタから捕捉した電波を示すひとつ又は複数の捕捉電波情報を該無線端末から取得して、該捕捉電波情報を前記基地局制御部に送信し、
前記基地局制御部は、
前記基地局から捕捉電波情報を受信して、複数の捕捉電波情報が受信されたか判断し、該複数の捕捉電波情報にそれぞれ対応する複数のセクタ識別子のうち第１のセクタと第２のセクタが隣接セクタ候補であると判断して、第１のセクタの第１のセクタ識別子と第２のセクタの第２のセクタ識別子とに対応して、隣接セクタ候補であると判断した回数をカウントし、
カウントされた回数が予め定められた閾値以上の第１及び第２のセクタ識別子について、第１のセクタ識別子に応じた基地局に、第２のセクタ識別子及び／又は第２のセクタからの電波を識別するための情報を含む、該基地局からの隣接セクタ情報を変更させるための変更要求を送信する無線通信システムが提供される。
【００１６】
本発明の第３の解決手段によると、
ひとつ又は複数のセクタを有する基地局と情報を送受信するためのインタフェースと、
前記無線端末の端末識別子毎に、時刻に対応して、前記無線端末が通信するセクタのセクタ識別子が記憶される接続履歴テーブルと、
ひとつ又は複数のセクタを有する基地局から無線端末へ送信される、セクタ毎に該セクタと隣接する他のセクタのセクタ識別子及び／又は該他のセクタからの電波を識別するための情報を含む隣接セクタ情報を変更させるための処理部と
を備え、
前記処理部は、
前記無線端末からの端末識別子と、該無線端末と通信するセクタのセクタ識別子とを前記基地局から受信し、
該端末識別子と受信時刻とに対応して、該セクタ識別子を前記接続履歴テーブルに記憶し、
前記接続履歴テーブルを参照し、各端末識別子に対応して、任意の時刻から予め定められた時間の間に異なる複数のセクタ識別子が記憶されている場合、該異なる複数のセクタ識別子のうちの第１のセクタと第２のセクタが隣接セクタ候補であると判断して、第１のセクタの第１のセクタ識別子と第２のセクタの第２のセクタ識別子とに対応して隣接セクタ候補であると判断した回数をカウントし、
カウントされた回数が予め定められた閾値以上の第１及び第２のセクタ識別子について、第１のセクタ識別子に応じた基地局に、第２のセクタ識別子及び／又は第２のセクタからの電波を識別するための情報を含む、該基地局からの隣接セクタ情報を変更させるための変更要求を送信する無線基地局制御装置が提供される。
【００１７】
本発明の第４の解決手段によると、
ひとつ又は複数のセクタを有する基地局と情報を送受信するためのインタフェースと、
前記基地局から無線端末へ送信される、セクタ毎に該セクタと隣接する他のセクタのセクタ識別子及び／又は該他のセクタからの電波を識別するための情報を含む隣接セクタ情報を変更させるための処理部と
を備え、
前記処理部は、
無線端末がひとつ又は複数のセクタから捕捉した電波を示すひとつ又は複数の捕捉電波情報を前記基地局から受信して、複数の捕捉電波情報が受信されたか判断し、該複数の捕捉電波情報にそれぞれ対応する複数のセクタ識別子のうち第１のセクタと第２のセクタが隣接セクタ候補であると判断して、第１のセクタの第１のセクタ識別子と第２のセクタの第２のセクタ識別子とに対応して、隣接セクタ候補であると判断した回数をカウントし、
カウントされた回数が予め定められた閾値以上の第１及び第２のセクタ識別子について、第１のセクタ識別子に応じた基地局に、第２のセクタ識別子及び／又は第２のセクタからの電波を識別するための情報を含む、該基地局からの隣接セクタ情報を変更させるための変更要求を送信する無線基地局制御装置が提供される。
【発明の効果】
【００１８】
本発明によると、ｃｄｍａ方式の無線通信網において、無線端末が各基地局のセクタ間を効果的にソフトハンドオーバすることができる無線通信システム、無線通信装置及び無線通信方法を提供することができる。また、本発明によると、隣接セクタ情報が登録されていない場合であっても、自動的に隣接セクタ情報を収集、設定し、無線端末のソフトハンドオーバを有効に動作させることができる。さらに、本発明は、基地局の追加設置、撤去、移動、伝搬環境の変化などの際に、電波測定やシミュレーション、設定操作などを省略可能とすることで、運用コストを低減することが出来る無線通信システムを提供することができる。
【００１９】
また、本発明によれば、基地局の配置変更、周辺環境の変化による、電波環境の変化、基地局の新設、などの際に、基地局の隣接関係を決定するための、シミュレーション、電波測定、基地局パラメータの変更などの保守アクションを行うことなく、ソフトハンドオーバを有効に動作させるためのブロードキャストメッセージの更新を自動的に行うことができる。
【発明を実施するための最良の形態】
【００２０】
１．第１の実施の形態
以下、本実施の形態における無線基地局と無線通信網の構成について、図面を用いて説明する。
（ハード構成）
図１は、本実施の形態を適用する無線通信システムの構成例を示すブロック図である。無線通信システムは、複数の無線基地局ＢＳ（１００−１〜７）と、複数の無線端末ＭＳ（５０１）と、無線基地局（１００）の制御を行う基地局制御装置（２００）とを備える。
【００２１】
各無線基地局（１００）は、無線通信エリアであるセクタ（１〜２１）を、一つもしくは複数有する。なお、本実施の形態による動作は、基地局（１００）が備えるセクタ数には関係なく適用可能である。
【００２２】
基地局制御装置（２００）は、予め記憶されたプログラムにより動作する基地局制御部（２０１）を有する。基地局制御部（２０１）は、端末接続履歴テーブル（２０１−１）と、セクタデータベース（２０１−４）と、ブロードキャストメッセージ制御部（２０１−５）とを備える。基地局制御部（２０１）は、各セクタごとに、隣接セクタ候補テーブル（２０１−２）及び隣接セクタテーブル（２０１−３）をさらに備える。端末接続履歴テーブル（２０１−１）は、各無線端末の接続履歴（通信履歴）を蓄積する。また、セクタデータベース（２０１−４）は、管理対象の全てのセクタの詳細情報が格納される。ブロードキャストメッセージ制御部（２０１−５）は、無線基地局（１００）が送信する電波の制御を行うための機能を有する。
【００２３】
なお、基地局制御部（２０１）が、基地局（１００）、無線通信網のどの筐体内に存在するかは問わない。図１は、基地局制御部（２０１）を、専用の基地局制御装置（２００）の筐体内に収めた場合の例である。
【００２４】
図２は、基地局制御装置（２００）の構成例を示すブロック図である。
基地局制御装置（２００）は、記憶装置（２０２）と、メモリ（２０３）と、ＣＰＵ（２０４）と、回線ＩＦ（２０６）とを有する。ＣＰＵ（２０４）は、メモリ（２０３）に蓄積された制御プログラムや、記憶装置（２０２）に蓄積された各種データ（例えば２０１−１〜４のテーブル）を用いて、基地局制御部（２０１）全体、ならびに、該基地局制御部（２０１）に接続された無線基地局（１００−１〜７）を制御する。上述のこれらのユニット等は内部バス（２０５）で接続され、無線基地局（１００）への制御は回線インタフェース（２０６）を介して行われる。なお、図１における端末接続履歴テーブル（２０１−１）、隣接セクタ候補テーブル（２０１−２）、隣接セクタテーブル、セクタデータベース（２０１−４）等は、図２の記憶装置（２０２）やメモリ（２０３）に記憶されることができる。また、ブロードキャストメッセージ制御部（２０１−５）は、図２のＣＰＵ（２０４）にて実行されることができる。
【００２５】
図３は、無線基地局（１００）の構成例を示すブロック図である。無線基地局（１００）は、無線基地局全体の制御を行う装置制御部（１０１）と、各セクタのセクタ制御部（１１１〜１１３）と、各セクタに対応したアンテナ（１１１−３〜１１３−３）と、回線インタフェース（１０５）とを備える。また、装置制御部（１０１）は、ＣＰＵ（１０１−１）と、メモリ（１０１−２）と、記憶装置（１０１−３）とを有する。各セクタの制御部（１１１〜１１３）は、無線ＩＦ（１１１−１）と、通信処理（１１１−２）とを有する。
【００２６】
装置制御部（１０１）のＣＰＵ（１０１−１）は、メモリ（１０１−２）に蓄積された制御プログラムや記憶装置（１０１−３）に蓄積された各種データ（例えば端末の情報など）を用いて、基地局（１００）全体を制御する。セクタ制御部（１１１〜１１３）は、セクタから送信する制御メッセージの送信、端末からの各種制御メッセージの受信処理を行う。上記これらのユニット等は内部バス（１０６）で接続され、基地局制御部（２０１）との通信は、回線インタフェース（１０５）を通して行う。
【００２７】
（テーブル構成）
図４は、端末接続履歴テーブル（２０１−１）のフォーマット図である。
端末接続履歴テーブル（２０１−１）は、端末識別子毎に、時刻に対応して、その時刻で端末が接続するセクタの識別情報が記憶される。図４の例では、端末１は、１３：００〜１３：０５まではセクタ１に接続し、１３：０６以降はセクタ２に接続したことを示す。また、端末２は、１３：０３にセクタ１に接続し、１３：０８まで接続した後に切断されたことを示す。なお、時刻、端末識別子、セクタの識別情報は、基地局（各セクタ）から基地局制御部（２０１）に周期的に通知されることができる。図４の例は、１分毎にセクタの識別情報を記憶している例であるが、これに限らず適宜の時間毎に記憶してもよい。また、図４に示す構成に限られず、適宜簡略化又は詳細化した構成としてもよい。
【００２８】
図５は、セクタデータベース（２０１−４）のフォーマット図である。
セクタデータベース（２０１−４）は、ノード名と、セクタの識別情報と、パイロット信号情報と、周波数チャネル情報とが対応して記憶される。ノード名は、例えば基地局（１００）に対応する識別情報である。例えば、ノード１は、図１の基地局ＢＳ１（１００−１）に対応し、ノード２は図１の基地局（１００−２）に対応する。パイロット信号情報、周波数チャネル情報は、該当するノード及びセクタが用いるパイロット信号及び周波数チャネルについての情報が予め格納される。また、セクタデータベース（２０１−４）は、図示のように適宜のデータ番号が付加されてもよい。
【００２９】
図６は、隣接セクタ候補テーブル（２０１−２）のフォーマット図である。隣接セクタ候補テーブル（２０１−２）は、各セクタについて、隣接セクタ候補に対応してカウント数が記憶される。なお、図６にはセクタ１についてのテーブルの例を示しているが、セクタ２などの他のセクタについても同様の構成とすることができる。例えば、セクタ１とセクタ２が隣接セクタ候補であると判断されると、図６に示すセクタ１についての隣接候補テーブルにおいて、セクタ２に対応するカウント数がカウントアップされる。また、セクタ２についての隣接候補テーブルにおいて、セクタ１に対応するカウント数がカウントアップされる。カウント数が予め定められた値を超えると、対応する隣接セクタ候補が「隣接セクタ」と決定される。
【００３０】
図７は、隣接セクタテーブルのフォーマット図である。隣接セクタテーブルは、各セクタについて、隣接セクタと、パイロット信号情報等の隣接セクタ情報が対応して記憶される。図７にはセクタ１についてのテーブルの例を示しているが、セクタ２などの他のセクタについても同様の構成とすることができる。また、隣接セクタテーブルは、適宜のデータ番号や、周波数チャネル情報を含んでもよい。
上述のようにｃｄｍａ通信を行う無線基地局（１００）と無線通信網を構築する。網を構築した段階では各セクタの隣接セクタ情報は未登録であってもよい。
【００３１】
（動作）
以下、端末の移動により隣接セクタが自動的に決定される動作の例について説明する。
図８は、セクタ１（５０２）と通信していた無線端末（５０１）が、セクタ２（５０３）に移動していく際の動作シーケンスを示している。この時、各セクタから端末へのブロードキャストメッセージには、隣接セクタ情報が設定されていない（５０５及び５０６）。この状態では、端末（５０１）は自ら周辺基地局（１００）のパイロット信号を探索して周辺基地局（１００）の電波を受信することができなければ、ソフトハンドオーバはできない。なお、端末（５０１）が移動する以外にも、電波環境の変化等により端末が通信するセクタが変化する場合も同様である。
【００３２】
まず、無線端末（５０１）が、基地局（１００）のセクタのひとつ（例えば、セクタ１（５０２））との通信を開始する。端末識別子が予め適宜のメモリに記憶された無線端末（５０１）は、接続時に及び定期的に端末識別子を通信相手のセクタを収容する基地局（１００）に通知する（処理５０７）。基地局（例えば、基地局制御部（２０１））は、定期的に、端末（５０１）と通信するセクタに応じたアンテナ及びセクタ制御部（１１１）を介して、端末（５０１）から送信された端末識別子を取得する。基地局（１００）は、端末識別子を取得すると又は定期的に、取得した端末識別子と時刻と接続セクタ（例えば、接続セクタの識別情報）とを、基地局制御部（２０１）へ通知する（処理５０８、５１０、５１２）。接続セクタの情報は、端末識別子を取得したセクタの識別情報又は端末と通信しているセクタの識別情報を用いることができる。また、セクタの識別情報は、予め適宜のメモリに記憶しておくことができる。時刻は、基地局（１００）内部の適宜の時計を用いることができる。
【００３３】
基地局制御部（２０１）（例えば、ＣＰＵ（２０４））は、通知された時刻と端末識別子と接続セクタとを、端末接続履歴テーブル（２０１−１）に書き込む（処理５０９、５１１、５１３）。例えば、基地局制御部（２０１）は、端末接続履歴テーブル（２０１−１）の通知された時刻と端末識別子に応じたフィールドに接続セクタを書き込む。なお、時刻の通知を省略して、例えば、基地局制御部（２０１）が端末識別子と接続セクタを端末（５０１）から受信した時刻を用いてもよい。
【００３４】
端末（５０１）がセクタ２に移動し、通信中のセクタ１の電波受信品質が劣化すると、通信が一旦途絶する（処理５１４）。端末（５０１）は、別の基地局（１００）又はセクタの電波を探索し、成功すれば探索された電波により再接続を行う（処理５１５）。例えば、ここでは、端末（５０１）がセクタ２（５０３）と再接続されたとする。端末（５０１）は、接続時に及び定期的に端末識別子を通信相手のセクタ２を収容する基地局（１００）に通知する（処理５１５）。再接続された基地局（１００）のセクタ２（５０３）は、定期的に、端末（５００）から取得した端末識別子と時刻と接続セクタの情報とを、基地局制御部（２０１）へ通知する（処理５１６）。基地局制御部（２０１）は、通知された時刻と端末識別子と接続セクタとを、上述と同様にして端末接続履歴テーブル（２０１−１）に書き込む（処理５１７）。
【００３５】
基地局制御部（２０１）は、端末接続履歴テーブル（２０１−１）を参照して、隣接セクタ候補を判断する（処理５３０）。例えば、基地局制御部（２０１）は、端末接続履歴テーブル（２０１−１）を参照し、同一の端末識別子を持つ端末について、連続した２つの時刻（周期）で異なるセクタと通信を行っていた場合、これら２つのセクタは「隣接セクタ候補」であると判断する。例えば、図４に示す「端末接続履歴テーブル（２０１−１）」の例では、識別子番号１を持つ「端末１」が１３：００にセクタ１に接続し１３：０５に一旦切断、１３：０６にセクタ２に接続しており、端末１は１３：０５と１３：０６の連続した時刻にセクタ１とセクタ２に接続していることから、セクタ１とセクタ２を「隣接セクタ候補」と判断する。なお、時刻は必ずしも連続している必要はなく、予め定められた時間範囲内に異なる２つのセクタ識別子が記憶されていれば、「隣接セクタ候補」と判断してもよい。なお、基地局制御部（２０１）は、処理５３０を予め定められた周期毎に実行してもよいし、セクタから端末識別子を受信することにより実行してもよい。
また、基地局制御部（２０１）は、「隣接セクタ候補」としたセクタの組（ここでは、セクタ１とセクタ２）のそれぞれのセクタについて、候補となった回数を隣接セクタ候補テーブル（２０１−２）にカウントする（処理５１８、５１９）。例えば、基地局制御部（２０１）は、セクタ１の隣接セクタ候補テーブル（２０１−２）で、セクタ２に対応した回数をカウントアップする（処理５１８）。また、基地局制御部（２０１）は、セクタ２の隣接セクタ候補テーブル（２０１−２）で、セクタ１に対応した回数をカウントアップする（処理５１９）。
【００３６】
図９は、隣接セクタ決定の動作を示すシーケンス図である。
基地局制御部（２０１）は、あるセクタに対して「隣接セクタ候補」となった回数が、予め設定された回数に達したセクタを、「隣接セクタ」として決定する（処理５５０）。例えば、基地局制御部（２０１）は、各セクタの隣接セクタ候補テーブル（２０１−２）のカウント数を参照して、カウント数が予め設定された回数以上の隣接セクタ候補を、該当セクタの「隣接セクタ」と決定する。基地局制御部（２０１）は、セクタデータベース（２０１−４）から、例えば、隣接セクタとして決定されたセクタのセクタデータを取得する（処理５５１）。例えば、基地局制御部（２０１）は、処理５５０で決定された隣接セクタのセクタ識別子に基づいてセクタデータベース（２０１−４）を参照し、対応するパイロット信号などの、設定に必要な各セクタ固有のパラメータ値を取得する。また、基地局制御部（２０１）は、決定された隣接セクタに対応して、取得されたパイロット信号を、該当するセクタの隣接セクタテーブル（２０１−３）に記憶する。さらに、対応する周波数チャネル情報をセクタデータベース（２０１−４）から取得して、隣接セクタテーブル（２０１−３）に記憶してもよい。
【００３７】
次に、基地局制御部（２０１）は、該当セクタを収容する基地局（１００）に対して、ブロードキャストメッセージの変更制御を行う（処理５５２）。例えば、基地局制御部（２０１）は、決定された隣接セクタについての隣接セクタ情報を含むブロードキャストメッセージ変更要求を、該当セクタを収容する基地局（１００）に送信する。隣接セクタ情報は、例えば、セクタ２の識別情報、パイロット信号情報、周波数チャネル情報等のいずれか又は複数を含む。例えば、処理５５２では、基地局制御部（２０１）は、セクタ１の隣接セクタテーブル（２０１−３）に記憶された隣接セクタ情報を含む変更要求を、セクタ１に応じた基地局（１００）に送信することができる。
【００３８】
また、セクタ２についても同様の処理を行う。例えば、まず、基地局制御部（２０１）は、セクタデータベース（２０１−４）から、セクタ１のパイロット信号を含むセクタデータを取得する（処理５５３）。また、基地局制御部（２０１）は、決定された隣接セクタのセクタ識別子に対応して、取得されたパイロット信号を、該当するセクタの隣接セクタテーブル（２０１−３）に記憶する。基地局制御部（２０１）は、該当セクタを収容する基地局（１００）に対して、ブロードキャストメッセージの変更制御を行う（処理５５４）。例えば、処理５５４では、基地局制御部（２０１）は、セクタ１の隣接セクタ情報を含む変更要求を、セクタ２に応じた基地局（１００）に送信する。
【００３９】
基地局（１００）は、基地局制御部（２０１）からの変更要求に従って、各セクタについて、ブロードキャストメッセージ内の「隣接セクタ情報」を更新する（処理５５５及び５５６）。以後、基地局（１００）は、新しい隣接セクタの情報によりブロードキャストメッセージ送信を行う。
【００４０】
図１０は、隣接セクタ決定の動作フローチャートである。ここでは、セクタ１について、セクタ２が隣接セクタである場合の例を説明する。なお、他のセクタについても同様のフローチャートを用いることができる。
【００４１】
なお、セクタ１のサービス開始時には、隣接セクタテーブル（２０１−３）に「隣接セクタ」は登録されていない。基地局制御部（２０１）は、端末の移動により、セクタ１の隣接セクタ候補テーブル（２０１−２）に、「セクタ２」のカウント数をカウントアップする（処理６５３）。
【００４２】
図１１は、隣接セクタ候補テーブル（２０１−２）のカウントアップを行う判定論理を示したフロー図である。図１１を参照して、処理６５３の動作を具体的に説明する。
まず、基地局制御部（２０１）は、周期的に、端末１（５０１）が通信を行っている接続セクタと、時刻と、端末識別子とを取得し、取得した時刻及び端末識別子に対応して、接続セクタを端末接続履歴テーブル（２０１−１）に記憶する（処理６０３：上述の処理５０９に相当）。次に、基地局制御部（２０１）は、端末接続履歴テーブル（２０１−１）を参照して、前回は通信中のセクタが存在したか判断する（処理６０４）。例えば、基地局制御部（２０１）は、端末接続履歴テーブル（２０１−１）を参照して、処理６０３で記憶した時刻のひとつ前の時刻に接続セクタが記憶されていれば、前回に通信中のセクタが存在したと判断し、一方、接続セクタが記憶されていなければ前回に通信中のセクタは存在しないと判断できる。
【００４３】
基地局制御部（２０１）は、前回に通信中のセクタが存在しないと判断した場合（処理６０４：Ｎｏ）、処理６０３へ戻る。一方、基地局制御部（２０１）は、前回に通信中のセクタが存在すると判断した場合（処理６０４：Ｙｅｓ）、現在通信を行っているセクタは前回端末識別子を取得したセクタと異なるか判断する（処理６０５）。例えば、基地局制御部（２０１）は、端末接続履歴テーブル（２０１−１）を参照して、端末１について、現時刻に対応する接続セクタと、ひとつ前の時刻に対応する接続セクタが一致していれば、現在通信を行っているセクタは前回取得したセクタと同じと判断し、一方、それらの接続セクタが一致していなければ、現在通信を行っているセクタは前回取得したセクタと異なると判断できる。なお、本フローチャートでは、ひとつ前の時刻を参照しているが、予め定められた時間範囲の時刻を参照してもよい。
【００４４】
基地局制御部（２０１）は、現在通信を行っているセクタが前回取得したセクタと同じと判断した場合（処理６０５：Ｎｏ）、処理６０３へ戻る。一方、基地局制御部（２０１）は、現在通信を行っているセクタが前回取得したセクタと異なると判断した場合（処理６０５：Ｙｅｓ）、現在通信中のセクタ（例えば、セクタ２）を、前回通信していたセクタ（例えば、セクタ１）の「隣接セクタ候補」とし、及び、前回通信中のセクタを、現在通信していたセクタの「隣接セクタ候補」として、それぞれ隣接セクタ候補テーブル（２０１−２）の該当するカウント数をカウントアップする。例えば、セクタ１の隣接セクタ候補テーブル（２０１−２）について、セクタ２に対応するカウント数を増加し、及び、セクタ２の隣接セクタ候補テーブル（２０１−２）について、セクタ１に対応するカウント数を増加させる。
【００４５】
図１０に戻り、基地局制御部（２０１）は、隣接セクタ候補テーブル（２０１−２）に格納されている「セクタ２」のカウント数が規定の閾値以上か判断する（処理６５４）。基地局制御部（２０１）は、「セクタ２」のカウント数が規定の閾値より小さい場合（処理６５４：Ｎｏ）、処理６５３に戻る。一方、基地局制御部（２０１）は、セクタ２のカウント数が既定の閾値以上の場合（６５４）、セクタ１の隣接セクタテーブル（２０１−３）を参照して「隣接セクタ」にセクタ２が登録されていないか判断する（処理６５５）。基地局制御部（２０１）は、セクタ２がセクタ１の隣接セクタテーブル（２０１−３）の「隣接セクタ」に登録されている場合（処理６５５）、処理６５３に戻る。一方、基地局制御部（２０１）は、セクタ２がセクタ１の隣接セクタテーブル（２０１−３）の「隣接セクタ」に登録されていない場合（処理６５５）、セクタ２をセクタ１の「隣接セクタ」と決定する（処理６５６）。また、セクタ１の隣接セクタテーブル（２０１−３）にセクタ２のセクタ情報を記憶する。
【００４６】
次に、基地局制御部（２０１）は、基地局（１００）に制御を行い、セクタ１のブロードキャストメッセージ（報知メッセージ）に「セクタ２」を追加させ、セクタ２のブロードキャストメッセージ（報知メッセージ）に「セクタ１」を追加させる（処理６５７、上述の処理５５２、５５４に相当）。基地局制御部（２０１）は、処理６５３に戻り、処理６５３以降の処理を実行する。なお、上述の説明では、セクタ１とセクタ２が隣接する場合について説明したが、セクタ１とセクタ３など、任意のセクタが隣接する場合についても同様である。
【００４７】
端末（５０１）は、通信中のセクタから送信される隣接セクタ情報を含むブロードキャストメッセージを受信し、隣接セクタ情報に基づいて他のセクタからの電波の捕捉を試みる。例えば、端末（５０１）は、受信した隣接セクタ情報に含まれるパイロット信号情報や周波数チャネル情報に従い、パイロット信号を捕捉する。このように、隣接セクタ情報を自動的に登録・更新することで、端末は効率的に電波を捕捉することができる。
【００４８】
以上の動作を複数の端末に対して繰り返し行う。基地局制御部（２０１）は、各セクタ毎に、「隣接セクタ候補」となった相手のセクタと候補となった回数を記録していく。図６のセクタ１の隣接セクタ候補テーブル（２０１−２）の例では、例えば、セクタ２は隣接セクタの候補になった回数が、１２０回となっている。
【００４９】
また、基地局制御部（２０１）は、端末接続履歴テーブル（２０１−１）に格納されている端末の接続履歴や通信終了履歴を、所定の期間が経過したものから順に削除していくことができる。この削除された履歴が「隣接セクタ候補」のカウントに使われていた場合、この隣接セクタ候補テーブル（２０１−２）の「隣接セクタ候補」のカウント数も減算する。例えば、「隣接セクタ候補」のカウントに使われたことを示すフラグを設け、このフラグに従いカウント数を減算するか否か識別してもよいし、上述のカウントアップと同様にして、隣接セクタ候補か否かを判断してもよい。
【００５０】
基地局制御部（２０１）は、「隣接セクタ候補」のカウント数が、予め定められた回数を下回ると、「隣接セクタ」でないと判定し、基地局制御部（２０１）から基地局（１００）に、例えば、隣接セクタでないと判定された隣接セクタ情報を特定するための適宜の識別情報（例えば、セクタ識別子）を含む削除指示を送信するなどの制御を行う。基地局（１００）は、削除指示に従い、ブロードキャストメッセージ（報知メッセージ）内の「隣接セクタ情報」から、該当基地局（１００）の情報を削除してブロードキャストメッセージ送信を行う。
【００５１】
隣接セクタ情報を削除する処理についてさらに説明すると、例えば、基地局制御部（２０１）は、接続履歴テーブル（２０１−１）に記憶されたセクタ識別子を、予め定められた期間が経過した時刻に対応したものから順に削除する。次に、基地局制御部（２０１）は、予め定められた時間範囲で、異なるセクタ識別子を削除すると、該異なるふたつのセクタ識別子の一方（第１のセクタ識別子）に応じた隣接セクタ候補テーブル（２０１−２）について、該異なるふたつのセクタ識別子の他方（第２のセクタ識別子）に対応するカウント数を減算する。また、基地局制御部（２０１）は、該減算により隣接セクタ候補テーブル（２０１−２）のカウント数が予め定められた閾値を下回ると、第２のセクタ識別子についての隣接セクタ情報を削除するための削除要求を、第１のセクタ識別子に応じた基地局（１００）に送信する。このように、基地局（１００）から送信される隣接セクタ情報から第２のセクタ識別子についての情報を削除させる。
【００５２】
基地局及びセクタの隣接関係は、基地局の増設・配置変更や周辺の建物の建設などにより変化する。したがって、既に隣接セクタ候補とされた回数が閾値を超えたものであっても、基地局の増設等により隣接セクタではなくなる場合もある。本実施の形態では、隣接セクタ候補としてカウントした回数を所定時間経過後に減算することで、隣接セクタ候補が現時刻に近い情報だけを含むようにすることができる。
【００５３】
上述の処理により、セクタのサービス開始後は、隣接セクタ候補がカウントアップされて隣接セクタが決定され、所定時間経過すると、隣接セクタ候補のカウントアップとカウントダウンが行われることになる。
（１）隣接セクタについては、カウントアップのトリガとなる異なるセクタ識別子の受信と、カウントダウンのトリガとなる異なるセクタ識別子の削除が、ほぼ同じ数になることが想定されるため、カウント数が閾値を越えていれば継続して隣接セクタとされる。
（２）一方、今まで隣接セクタであったが、基地局の増設等により隣接セクタでなくなった場合には、カウントアップのトリガとなる該隣接セクタ候補に応じたセクタ識別子は連続した時間では受信されず、カウントダウンのトリガとなるセクタ識別子の削除が行われるため、次第にカウント数は閾値を下回り、隣接セクタから削除される。
（３）また、今までは隣接セクタではなかったが、基地局の増設等により隣接セクタとなった場合には、セクタのサービス開始と同様に、隣接セクタ候補がカウントアップされて隣接セクタが決定され、所定時間経過すると、隣接セクタ候補のカウントアップとカウントダウンが行われることになる。
【００５４】
２．第２の実施の形態
（ハード構成）
以下、第２の実施の形態における無線基地局と無線通信網の構成について、図面を用いて説明する。第２の実施の形態では、端末がセクタから捕捉する電波についての情報を収集して隣接セクタを決定する。
【００５５】
図１２は、本実施の形態を適用する無線通信システムの構成例を示すブロック図である。第１の実施の形態と同様に、無線通信システムは、無線基地局（１００−１〜７）と、複数の無線端末（５０１）と、無線基地局（１００）の制御を行う基地局制御装置（２００）とを備える。無線基地局（１００）、無線端末（５０１）の構成は、第１の実施の形態と同様であるので、説明を省略する。基地局制御装置（２００）で動作するプログラムである基地局制御部（２０１）は、第１の実施の形態の端末接続履歴テーブル（２０１−１）に替えて、周辺電波情報テーブル（２０１−６）を備える。その他の構成は第１の実施の形態と同じである。なお、基地局制御部（２０１）が、基地局（１００）、無線通信網のどの筐体内に存在するかは問わない。図１２は、基地局制御部（２０１）を、専用の基地局制御装置（２００）の筐体内に収めた場合の例である。以上により、ｃｄｍａ通信を行う無線基地局（１００）と無線通信網を構築する。網を構築した段階では各セクタの「隣接セクタ情報」は未登録であってもよい。
【００５６】
（テーブル構成）
図１３は、周辺電波情報テーブル（２０１−６）の様子を説明する説明図である。
周辺電波情報テーブル（２０１−６）は、各端末が通信相手の基地局（１００）に通知したメッセージ内容を格納する。周辺電波情報テーブル（２０１−６）は、呼の識別情報ごとに、時刻に対応してその時刻で端末が捕捉した捕捉電波を示す捕捉電波情報と、捕捉電波に対応するセクタのセクタ識別子が記憶される。例えば、図１３の例において、呼１で通信する端末は、１３：０１には、Ａ、Ｂの電波を捕捉していることを示す。また、Ａ、Ｂは、それぞれセクタ１、２からの電波であり、セクタの欄にはセクタ１、２の識別情報が記憶される。
【００５７】
（動作）
以下、端末からの通知メッセージにより自動的に隣接セクタが決定される動作の例について説明する。
図１４は、端末の捕捉電波による隣接候補のカウントアップのシーケンスを示す。図１４は、無線端末（５０１）が、セクタ１（５０２’）とセクタ２（５０３’）の両方の電波を捕捉している状態の動作を示している。各セクタのブロードキャストメッセージには、隣接セクタ情報が設定されていない（５０５’及び５０６’）ため、端末は自ら周辺基地局（１００）のパイロット信号を探索して周辺基地局（１００）の電波を受信することができなければ、ソフトハンドオーバすることはできない。
【００５８】
端末が自律で行っている、周辺基地局（１００）のパイロット信号の探査処理により、複数のセクタからの電波、例えば信号Ａと信号Ｂの受信に成功したとする。なお、この例では、セクタ１の電波符号がＡであり、セクタ２の電波符号がＢである。無線端末（５０１）が、基地局（１００）との通信を開始すると、端末（５０１）は、捕捉中の信号の情報（捕捉電波情報）を通信中のセクタを収容する基地局（１００）に通知する（処理５０７’）。ここでは、例えば、信号Ａと信号Ｂがセクタ１に応じた基地局（１００）に通知される。
【００５９】
基地局（１００）は、定期的に、端末（５０１）から受信した捕捉電波情報と、時刻と、呼識別情報とを基地局制御部（２０１）に通知する（処理５０８’）。呼識別情報は、端末とセクタ１との呼を識別するための適宜の数字、文字、記号等を用いることができ、予め適宜のメモリに記憶されることができる。基地局制御部（２０１）は、基地局（１００）から通知された情報を周辺電波情報テーブル（２０１−６）に格納する（処理５０９’）。例えば、基地局制御部（２０１）は、周辺電波情報テーブル（２０１−６）の、通知された時刻及び呼識別情報に対応するフィールドに捕捉電波情報を格納する。また、基地局制御部（２０１）は、捕捉電波情報に基づいてセクタデータベース（２０１−４）のパイロット信号を検索し、捕捉電波情報と一致するパイロット信号に対応したセクタ識別子を取得する（処理５１０’）。基地局制御部（２０１）は、周辺電波情報テーブル（２０１−６）の、通知された時刻及び呼識別情報に対応するフィールドに、取得したセクタ識別子を記憶する。なお、基地局（１００）からの時刻の通知を省略して、基地局制御部（２０１）が捕捉電波情報を受信した時刻を用いてもよい。
【００６０】
基地局制御部（２０１）は、周辺電波情報テーブル（２０１−６）を参照し、同時に複数の電波を端末が捕捉していた場合（同時刻及び同呼識別情報のフィールドに複数の捕捉電波情報が格納されていた場合）、これらを「隣接セクタ候補」であるとみなす。基地局制御部（２０１）は、「隣接セクタ候補」としたセクタに対して、それぞれが候補となった回数を隣接セクタ候補テーブル（２０１−２）にてカウントする（処理５１１’、５１２’）。例えば、セクタ１の隣接セクタ候補テーブル（２０１−２）において、セクタ２に対応するカウント数をカウントアップする。また、セクタ２の隣接セクタ候補テーブル（２０１−２）において、セクタ１に対応するカウント数をカウントアップする。
その後、処理５５０〜５５６を実行する。なお、処理５５０〜５５６については、上述の第１の実施の形態と同様であるので、その説明を省略する。
【００６１】
図１５は、隣接セクタ候補テーブル（２０１−２）のカウントアップを行う判定論理を示したフロー図である。隣接セクタ決定のフロー（例えば、処理６５１、６５４〜６５７）は、上述の第１の実施の形態（例えば、図１０など）と同様である。ここで、第２の実施の形態における処理６５３の動作を、図１５を用いて具体的に説明する。
【００６２】
まず、セクタ１にある端末（５０１）が、セクタ１を介して呼接続する（処理７０１’）。なお、既に呼が接続されている場合には省略できる。基地局制御部（２０１）は、端末（５０１）が捕捉している電波（パイロット信号）についての捕捉電波情報を、周期的に端末（５０１）から取得する（処理７０２’）。また、基地局制御部（２０１）は、取得した捕捉電波情報を、端末から取得した呼識別情報及び時刻に対応して、周辺電波情報テーブル（２０１−６）に記憶する。
【００６３】
基地局制御部（２０１）は、セクタデータベース（２０１−４）を参照して、端末から取得した捕捉電波情報に対応するセクタ識別子を取得する（処理７０３’）。また、基地局制御部（２０１）は、取得したセクタ識別子を、端末から取得した呼識別情報及び時刻に対応して、周辺電波情報テーブル（２０１−６）に記憶する。基地局制御部（２０１）は、端末が自セクタ（通信中のセクタ）以外の電波を捕捉しているか判断する（処理７０４’）。例えば、基地局制御部（２０１）は、周辺電波情報テーブル（２０１−６）の捕捉電波情報を参照して、同じ呼識別情報で同時刻に複数の捕捉電波情報が記憶されていることにより、端末が自セクタ以外の電波を捕捉していると判断できる。基地局制御部（２０１）は、端末が自セクタ以外の電波を捕捉していない場合（処理７０４’：Ｎｏ）、処理７０２’へ戻る。一方、基地局制御部（２０１）は、端末が自セクタ以外の電波を捕捉している場合（処理７０４’：Ｙｅｓ）、端末が捕捉している他セクタを自セクタの隣接セクタ候補にし、及び、自セクタを他セクタの隣接セクタ候補にして、それぞれカウントアップする（処理７０５’）。例えば、図１３の例の１３：０１においては、セクタ識別子としてセクタ１とセクタ２が記憶されており、基地局制御部（２０１）は、セクタ２をセクタ１の隣接セクタ候補として、セクタ１の隣接セクタ候補テーブル（２０１−２）のセクタ２に対応したカウント数をカウントアップする。また、基地局制御部（２０１）は、セクタ１をセクタ２の隣接セクタ候補として、セクタ２の隣接セクタ候補テーブル（２０１−２）のセクタ１に対応したカウント数をカウントアップする。その後、処理６５４へ移る。
【００６４】
図１３は、周辺電波情報テーブル（２０１−６）の状態の例である。時刻１３：０１に、接続している呼１は、ＡとＢの電波を同時に捕捉している。基地局制御部（２０１）は各基地局のセクタ情報を図５に示すセクタデータベース（２０１−４）の状態の例のように保持する。基地局制御部（２０１）は、周辺電波情報テーブル（２０１−６）に格納された捕捉電波情報が、どの基地局（１００）のどのセクタの電波に該当するのかを、セクタデータベース（２０１−４）を参照して求める。例えば、各捕捉電波情報に基づき、セクタデータベース（２０１−４）のパイロット信号を検索し、該当するパイロット信号に対応したセクタを取得する。図１３の例では時刻１３：０１の時に接続していた端末が捉えていた電波Ａ、Ｂに応じたセクタは、セクタ１とセクタ２であることがそれぞれ求まる。基地局制御部（２０１）は、求めたセクタの組を「隣接セクタ候補」として、上述の第１の実施の形態と同様に、隣接セクタ候補テーブル（２０１−２）の対応するカウント数をカウントアップする。即ちセクタ１とセクタ２を「隣接セクタ候補」として記録する。
上述の動作を複数の端末に対して繰り返し行う。基地局制御部（２０１）は、各セクタ毎に、「隣接セクタ候補」となった相手のセクタと候補となった回数を記録していく。
【００６５】
また、基地局制御部（２０１）は、周辺電波情報テーブル（２０１−６）に格納されている捕捉電波情報を、所定の期間が経過したものから順に削除していくことができる。この削除された履歴が「隣接セクタ候補」のカウントに使われていた場合、この「隣接セクタ候補」のカウント数も減算する。例えば、「隣接セクタ候補」のカウントに使われたことを示すフラグを設け、このフラグに従いカウント数を減算するか否か識別してもよいし、上述のカウントアップと同様にして、隣接セクタ候補か否かを判断してもよい。
【００６６】
「隣接セクタ候補」のカウント数が、予め定められた回数を下回ると、「隣接セクタ」でないと判定し、基地局制御部（２０１）から基地局（１００）に削除指示を送信するなどの制御を行い、報知メッセージ内の「隣接セクタ情報」から、該当基地局（１００）の情報を削除してブロードキャストメッセージ送信を行う。
【００６７】
隣接セクタ情報を削除する処理についてさらに説明すると、例えば、基地局制御部（２０１）は、周辺電波情報テーブル（２０１−６）に記憶されたセクタ識別子を、予め定められた期間が経過した時刻に対応したものから順に削除する。次に、基地局制御部（２０１）は、予め定められた時間範囲で、異なるセクタ識別子を削除すると、該異なるふたつのセクタ識別子の一方（第１のセクタ識別子）の隣接セクタ候補テーブル（２０１−２）について、該異なるふたつのセクタ識別子の他方（第２のセクタ識別子）に対応するカウント数を減算する。基地局制御部（２０１）は、該減算により隣接セクタ候補テーブル（２０１−２）のカウント数が予め定められた閾値を下回ると、第２のセクタ識別子についての隣接セクタ情報を削除するための削除要求を、第１のセクタ識別子に応じた基地局（１００）に送信する。これにより、基地局（１００）から送信される隣接セクタ情報から第２のセクタ識別子の情報を削除させる。
【産業上の利用可能性】
【００６８】
本発明は、例えば、複数の無線端末が一つのセクタと同時に通信を行い、また一つの無線端末が複数のセクタの信号を受信できる無線通信に関する産業に利用可能である。また、本発明は、各基地局セクタ毎に符号分割多重多元接続（ＣＤＭＡ）方式により通信が行なわれる無線通信に関する産業に利用可能である。
【図面の簡単な説明】
【００６９】
【図１】第１の実施の形態における、無線通信網の構成を示すブロック図である。
【図２】基地局制御装置の構成例を示すブロック図である。
【図３】基地局の構成例を示すブロック図である。
【図４】端末接続履歴テーブルの説明図である。
【図５】セクタデータベースの様子を説明する説明図である。
【図６】隣接セクタ候補テーブルの説明図である。
【図７】セクタ１の隣接セクタテーブルの説明図である。
【図８】第１の実施の形態の、無線端末の移動により隣接セクタの候補を求める動作の一例を説明する動作説明図である。
【図９】隣接セクタ決定後に、基地局制御部が行う制御の内容の一例を説明する動作説明図である。
【図１０】隣接セクタ候補から隣接セクタを決定し、基地局に制御を行う動作の制御論理の一例を説明するフロー図である。
【図１１】第１の実施の形態の、無線端末の移動により隣接セクタの候補を求める動作の制御論理の一例を説明するフロー図である。
【図１２】第２の実施の形態における、無線通信網の構成を示すブロック図である。
【図１３】周辺電波情報テーブルの説明図である。
【図１４】第２の実施の形態の、無線端末の捕捉電波により隣接セクタの候補を求める動作の一例を説明する動作説明図である。
【図１５】第２の実施の形態の、無線端末の捕捉電波により隣接セクタの候補を求める動作の制御論理の一例を説明するフロー図である。
【符号の説明】
【００７０】
１００  基地局
１００−１〜７  基地局１〜７
１〜２１  セクタ
２００  基地局制御装置
２０１  基地局制御部
２０１−１  端末接続履歴テーブル
２０１−２  隣接セクタ情報テーブル
２０１−３  隣接セクタテーブル
２０１−４  セクタデータベース
２０１−５  基地局のブロードキャストメッセージ制御部
２０１−６  周辺電波情報テーブル
２０２  記憶装置
２０３  メモリ
２０４  ＣＰＵ
２０５  内部バス
２０６  回線ＩＦ
１０１  装置制御部
１０１−１  ＣＰＵ
１０１−２  メモリ
１０１−３  記憶装置
１０５  回線ＩＦユニット
１０６  内部バス
１１１  セクタ制御部
１１１−１、１１２−１、１１３−１  無線ＩＦユニット
１１１−２、１１２−２、１１３−２  通信処理ユニット
１１１−３、１１２−３、１１３−３  アンテナ
【図１】
2006217051.tif 000003
【図２】
2006217051.tif 000004
【図３】
2006217051.tif 000005
【図４】
2006217051.tif 000006
【図５】
2006217051.tif 000007
【図６】
2006217051.tif 000008
【図７】
2006217051.tif 000009
【図８】
2006217051.tif 000010
【図９】
2006217051.tif 000011
【図１０】
2006217051.tif 000012
【図１１】
2006217051.tif 000013
【図１２】
2006217051.tif 000014
【図１３】
2006217051.tif 000015
【図１４】
2006217051.tif 000016
【図１５】
2006217051.tif 000017